(57)【要約】      （修正有）【課題】プロペラ清掃のための費用が節減される舶用プロペラへの海生物付着防止方法及び海生物付着防止袋を提供する。【解決手段】プロペラをネットで覆うステップＳ２１と、プロペラからネットを取り外すステップＳ２２とを具備する。前記ネットで覆う前記ステップにおいて、前記プロペラの全体を前記ネットで覆う。前記ネットを前記船体からロープで吊る。前記プロペラの複数の羽根を複数の袋でそれぞれ覆うこともできる。前記複数の袋は前記ネットで形成される。【選択図】図３
2011121389.tif 000002
【特許請求の範囲】
【請求項１】
プロペラをネットで覆うステップと、
前記プロペラから前記ネットを取り外すステップと
を具備する
舶用プロペラへの海生物付着防止方法。
【請求項２】
前記ネットで覆う前記ステップにおいて、前記プロペラの全体を前記ネットで覆う
請求項１の舶用プロペラへの海生物付着防止方法。
【請求項３】
前記ネットで覆う前記ステップにおいて、前記ネットを前記船体からロープで吊る
請求項２の舶用プロペラへの海生物付着防止方法。
【請求項４】
前記ネットで覆う前記ステップは、前記プロペラの複数の羽根を複数の袋でそれぞれ覆うステップを含み、
前記複数の袋は前記ネットで形成される
請求項１の舶用プロペラへの海生物付着防止方法。
【請求項５】
前記複数の羽根を前記複数の袋でそれぞれ覆う前記ステップは、
前記複数の羽根のうちの第１羽根に前記複数の袋のうちの第１袋を被せるステップと、
前記第１袋の口と前記第１羽根との隙間を防水性テープで塞ぐステップと
を含む
請求項４の舶用プロペラへの海生物付着防止方法。
【請求項６】
前記第１袋にロープバンドが設けられ、
前記第１袋を被せる前記ステップにおいて、前記ロープバンドに取り付けられたロープを操作して前記第１袋を前記第１羽根に被せる
請求項５の舶用プロペラへの海生物付着防止方法。
【請求項７】
プロペラを海水を通さないシートで覆うステップと、
前記プロペラから前記シートを取り外すステップと
を具備する
舶用プロペラへの海生物付着防止方法。
【請求項８】
前記シートで覆う前記ステップにおいて、前記プロペラの全体を前記シートで覆い、
前記シート内の海水にガスを吹き込むステップを更に具備する
請求項７の舶用プロペラへの海生物付着防止方法。
【請求項９】
前記ガスは炭酸ガスである
請求項８の舶用プロペラへの海生物付着防止方法。
【請求項１０】
ネット又は海水を通さないシートで形成された袋本体を具備する
舶用プロペラの羽根を覆うための海生物付着防止袋。
【請求項１１】
前記袋本体に設けられたロープバンドを更に具備する
請求項１０の海生物付着防止袋。
【請求項１２】
前記袋本体は前記ネットで形成され、
前記ネットの網目の大きさは２００μｍ以下である
請求項１０又は１１の海生物付着防止袋。
【発明の詳細な説明】
【技術分野】
【０００１】
本発明は、舶用プロペラへの海生物付着防止方法に関する。
【背景技術】
【０００２】
大型の船舶は、建造ドックにおいて船体が組立てられた後、海に浮かべられた状態で艤装が行われる。艤装期間中、フジツボやムラサキガイのような海生物がその船舶のプロペラに付着する。付着した海生物はプロペラの効率を低下させるため、その船舶の試運転（海上公試）の前にプロペラを清掃して海生物を除去する。ファイナルドックを行わない場合には、艤装期間の最後にダイバーがプロペラを清掃するため、その費用が生じる。更に、ダイバーによる清掃中は、安全確保のためにその船舶の海水ポンプを停止し、機関室の機器調整運転を全面ストップさせる必要があるため、艤装期間が長くなる。試運転が終わってその船舶が船主に引き渡されて運航を開始すると、プロペラが長期間停止することはない。したがって、運航開始後は、プロペラに海生物が付着しにくい。
【０００３】
特許文献１は、クルーザーの様な小型船舶を海水地域で水上係留した際に、その小型船舶のプロペラにフジツボなどの貝類が付着することを防止するプロペラカバーを開示している。そのプロペラカバーは、プラスチックで作られ、海水の流れを遮断することで貝類の付着を防止する。
【０００４】
特許文献２は、プロペラに海生物防止塗料又は海生物防止ポリマーを設け、海水中で海生物防止塗料又は海生物防止ポリマーから少しずつ溶け出す物質により海生物の付着及び繁殖を防止する方法を開示している。
【先行技術文献】
【特許文献】
【０００５】
【特許文献１】特開平９−２４９１９３号公報
【特許文献２】実開昭６２−６０９７号公報
【発明の概要】
【発明が解決しようとする課題】
【０００６】
本発明の目的は、プロペラ清掃のための費用が節減される舶用プロペラへの海生物付着防止方法及び海生物付着防止袋を提供することである。
【課題を解決するための手段】
【０００７】
以下に、（発明を実施するための形態）で使用される番号を用いて、課題を解決するための手段を説明する。これらの番号は、（特許請求の範囲）の記載と（発明を実施するための形態）との対応関係を明らかにするために付加されたものである。ただし、それらの番号を、（特許請求の範囲）に記載されている発明の技術的範囲の解釈に用いてはならない。
【０００８】
本発明による舶用プロペラへの海生物付着防止方法は、プロペラ（２０）をネット（３２、４０）で覆うステップ（Ｓ２１、Ｓ４１）と、前記プロペラから前記ネットを取り外すステップ（Ｓ２２、Ｓ４２）とを具備する。
【０００９】
前記ネットで覆う前記ステップにおいて、前記プロペラの全体を前記ネットで覆う。
【００１０】
前記ネットで覆う前記ステップにおいて、前記ネットを前記船体からロープ（３５）で吊る。
【００１１】
前記ネットで覆う前記ステップは、前記プロペラの複数の羽根（２２）を複数の袋（４０）でそれぞれ覆うステップを含む。前記複数の袋は前記ネットで形成される。
【００１２】
前記複数の羽根を前記複数の袋でそれぞれ覆う前記ステップは、前記複数の羽根のうちの第１羽根（２２）に前記複数の袋のうちの第１袋（４０）を被せるステップと、前記第１袋の口（４３）と前記第１羽根との隙間を防水性テープ（５０）で塞ぐステップとを含む。
【００１３】
前記第１袋にロープバンド（４６）が設けられる。前記第１袋を被せる前記ステップにおいて、前記ロープバンドに取り付けられたロープを操作して前記第１袋を前記第１羽根に被せる。
【００１４】
本発明による舶用プロペラへの海生物付着防止方法は、プロペラ（２０）を海水を通さないシート（３１、４０）で覆うステップ（Ｓ１１、Ｓ３１、Ｓ４１）と、前記プロペラから前記シートを取り外すステップ（Ｓ１２、Ｓ３３、Ｓ４２）とを具備する。
【００１５】
前記シートで覆う前記ステップにおいて、前記プロペラの全体を前記シートで覆う。上記舶用プロペラへの海生物付着防止方法は、前記シート内の海水にガスを吹き込むステップ（Ｓ３２）を更に具備する。
【００１６】
前記ガスは炭酸ガスである。
【００１７】
本発明による舶用プロペラの羽根を覆うための海生物付着防止袋（４０）は、ネット又は海水を通さないシートで形成された袋本体（４１、４２）を具備する。
【００１８】
上記海生物付着防止袋は、前記袋本体に設けられたロープバンド（４６）を更に具備する。
【００１９】
前記袋本体は前記ネットで形成される。前記ネットの網目の大きさは２００μｍ以下である。
【発明の効果】
【００２０】
本発明によれば、プロペラ清掃のための費用が節減される舶用プロペラへの海生物付着防止方法及び海生物付着防止袋が提供される。
【図面の簡単な説明】
【００２１】
【図１】図１は、本発明の第１の実施形態に係る舶用プロペラへの海生物付着防止方法のフローチャートである。
【図２】図２は、第１の実施形態に係る舶用プロペラへの海生物付着防止方法が適用された船体の側面図である。
【図３】図３は、本発明の第２の実施形態に係る舶用プロペラへの海生物付着防止方法のフローチャートである。
【図４】図４は、第２の実施形態に係る舶用プロペラへの海生物付着防止方法が適用された船体の側面図である。
【図５】図５は、本発明の第３の実施形態に係る舶用プロペラへの海生物付着防止方法のフローチャートである。
【図６】図６は、第３の実施形態に係る舶用プロペラへの海生物付着防止方法が適用された船体の側面図である。
【図７】図７は、本発明の第４の実施形態に係る舶用プロペラへの海生物付着防止方法のフローチャートである。
【図８】図８は、第４の実施形態に係る舶用プロペラへの海生物付着防止方法で用いられる袋を示す。
【図９】図９は、第４の実施形態に係る舶用プロペラへの海生物付着防止方法が適用されたプロペラを示す。
【発明を実施するための形態】
【００２２】
添付図面を参照して、本発明による海生物付着防止方法及び海生物付着防止袋を実施するための形態を以下に説明する。
【００２３】
（第１の実施形態）
図１を参照して、本発明の第１の実施形態に係る舶用プロペラへの海生物付着防止方法は、プロペラ全体をシートで覆うステップＳ１１と、シートを取り外すステップＳ１２を備える。
【００２４】
図２を参照して、プロペラ全体をシートで覆うステップＳ１１を説明する。図２は、建造ドックで組立てられた後、艤装岸壁に係留された船体１０を示している。船体１０の船尾部分に推進用のプロペラ２０が設けられている。プロペラ２０は、船体１０から突き出たシャフト１５に結合されている。プロペラ２０は、ボス２１と、複数の羽根２２とを備える。プロペラ全体をシートで覆うステップＳ１１は、船体１０が水に浮かべられた状態で行われる。プロペラ全体をシートで覆うステップＳ１１において、ボス２１と複数の羽根２２とを含むプロペラ２０の全体をビニールシートのような海水を通さないシート３１で覆う。ここで、ダイバーがシート３１をプロペラ２０を覆うように誘導し、シート３１と船体１０の一部（例えばボッシング）との隙間を防水性テープ５０で塞ぐ。陸上作業員がシート３１の取り外しが可能なようにシート３１を船体１０からロープ３５で吊る。
【００２５】
シート３１によってプロペラ２０の周囲の海水が交換されることが防止されるため、船体１０の艤装期間中にプロペラ２０の表面にフジツボやムラサキガイのような海生物が付着することが防止される。
【００２６】
艤装期間の最後（試運転の前）にシートを取り外すステップＳ１２を実行する。シートを取り外すステップＳ１２において、プロペラ２０からシート３１を取り外す。具体的には、ダイバーが防水性テープ５０を剥がし、陸上作業員がロープ３５を引っ張ってプロペラ２０からシート３１を取り外す。ここで、シート３１に海生物が付着していた場合、その海生物はシート３１と一緒に除去される。
【００２７】
本実施形態におけるダイバーの作業時間は、従来技術のようにダイバーがプロペラに付着した海生物を除去する場合の作業時間に比べて短い。
【００２８】
本実施形態による舶用プロペラへの海生物付着防止方法によれば、プロペラ清掃のための費用を節減できる。更に、ダイバーによる作業時間が短いため、安全確保のために海水ポンプを停止したり機関室の機器調整運転を全面ストップさせたりする時間が短くて済み、艤装期間の短縮ができる。
【００２９】
本実施形態による舶用プロペラへの海生物付着防止方法は、柔軟なシート３１でプロペラ２０を覆うことで海生物の付着を防止するため、プラスチック製のような硬いプロペラカバーでプロペラを覆う方法に比べて、大型船のプロペラへの海生物付着を防止するために好適である。
【００３０】
なお、本実施形態においては、シート３１と船体１０の一部（例えばボッシング）との隙間を防水性テープ５０で塞ぐかわりに、シート３１とシャフト１５との隙間を防水性テープ５０で塞いでもよい。
【００３１】
（第２の実施形態）
図３を参照して、本発明の第２の実施形態に係る舶用プロペラへの海生物付着防止方法は、プロペラ全体をネットで覆うステップＳ２１と、ネットを取り外すステップＳ２２を備える。
【００３２】
図４を参照して、プロペラ全体をネットで覆うステップＳ２１を説明する。プロペラ全体をネットで覆うステップＳ２１は、船体１０が水に浮かべられた状態で行われる。プロペラ全体をネットで覆うステップＳ２１において、プロペラ２０の全体をプランクトンネットに使用されるような網目の細かいネット３２で覆う。ここで、フジツボやムラサキガイの幼生の大きさが２００μｍ以上であるため、ネット３２の網目の大きさ（目開き）は２００μｍ以下であることが好ましい。ここで、ダイバーがネット３２をプロペラ２０を覆うように誘導し、ネット３２と船体１０の一部（例えばボッシング）との隙間を防水性テープ５０で塞ぐ。陸上作業員がネット３２の取り外しが可能なようにネット３２を船体１０からロープ３５で吊る。
【００３３】
プロペラ２０がネット３２で覆われるため、船体１０の艤装期間中にプロペラ２０の表面にフジツボやムラサキガイのような海生物が付着することが防止される。
【００３４】
艤装期間の最後（試運転の前）にネットを取り外すステップＳ２２を実行する。ネットを取り外すステップＳ２２において、プロペラ２０からネット２２を取り外す。具体的には、ダイバーが防水性テープ５０を剥がし、陸上作業員がロープ３５を引っ張ってプロペラ２０からシート３１を取り外す。ダイバーが防水性テープ５０を剥がすための作業時間は、従来技術のようにダイバーがプロペラに付着した海生物を除去する場合の作業時間に比べて短い。ここで、ネット３２に海生物が付着していた場合、その海生物はネット３２と一緒に除去される。
【００３５】
本実施形態におけるダイバーの作業時間は、従来技術のようにダイバーがプロペラに付着した海生物を除去する場合の作業時間に比べて短い。
【００３６】
本実施形態による舶用プロペラへの海生物付着防止方法によれば、第１の実施形態による舶用プロペラへの海生物付着防止方法と同様の効果が提供される。更に、本実施形態による舶用プロペラへの海生物付着防止方法によれば、ネット３２を海水が通過可能であるため、水流によってネット３２が大きく揺れることが防がれる。更に、本実施形態による舶用プロペラへの海生物付着防止方法によれば、ネット３２を空気が通過可能であるため、浮力を発生させないための空気抜きの問題が生じない。
【００３７】
本実施形態においては、ネット３２と船体１０の一部（例えばボッシング）との隙間を防水性テープ５０で塞ぐかわりに、ネット３２とシャフト１５との隙間を防水性テープ５０で塞いでもよい。
【００３８】
（第３の実施形態）
図５を参照して、本発明の第３の実施形態に係る舶用プロペラへの海生物付着防止方法は、プロペラ全体をシートで覆うステップＳ３１と、シート内にガスを吹き込むステップＳ３２と、シートを取り外すステップＳ３３を備える。
【００３９】
プロペラ全体をシートで覆うステップＳ３１及びシートを取り外すステップＳ３３は、プロペラ全体をシートで覆うステップＳ１１及びシートを取り外すステップＳ１２と同様である。シート内にガスを吹き込むステップＳ３２は、プロペラ全体をシートで覆うステップＳ３１及びシートを取り外すステップＳ３３の間に実行される。
【００４０】
図６を参照して、シート内にガスを吹き込むステップＳ３２を説明する。シート内にガスを吹き込むステップＳ３２において、シート３１内の海水が所定のｐＨ以下になるように、ガス供給路３８を介してシート３１内の海水に炭酸ガスを吹き込む。シート３１内の海水のｐＨを下げることで、海生物がプロペラ２０の表面に付着することが確実に防止される。ここで、所定のｐＨは、６．５以下である。シート内にガスを吹き込むステップＳ３２は、定期的に実行されてもよく、シート３１内の海水のｐＨが所定のｐＨより高くなった場合に実行されてもよい。
【００４１】
なお、シート内にガスを吹き込むステップＳ３２において、海生物がプロペラ２０の表面に付着することを防止する効果のある炭酸ガス以外のガスをシート３１内の海水に吹き込んでもよい。
【００４２】
（第４の実施形態）
図７を参照して、本発明の第４の実施形態に係る舶用プロペラへの海生物付着防止方法は、プロペラ羽根を袋で覆うステップＳ４１と、袋を取り外すステップＳ４２と、プロペラボスを研磨するステップＳ４３を備える。
【００４３】
図８は、本実施形態に係る舶用プロペラへの海生物付着防止方法に用いられる海生物付着防止袋４０を示す。袋４０は、プランクトンネットに使用されるような網目の細かいネットで形成される。ここで、フジツボやムラサキガイの幼生の大きさが２００μｍ以上であるため、ネットの網目の大きさ（目開き）は２００μｍ以下であることが好ましい。
【００４４】
袋４０は、表側ネット４１と、表側ネット４１の反対側に配置される裏側ネット４２を備える。表側ネット４１及び裏側ネット４２は、袋４０のサイド部縁４４及び底部縁４５において閉じられて袋４０の本体部分を形成する。表側ネット４１及び裏側ネット４２は、袋４０の開口部縁４３において閉じられていない。開口部縁４３は、袋４０の開口の周囲に配置される。開口部縁４３及びサイド部縁４４の各々に沿って複数のハトメ４７が配列されている。ハトメ４７は袋４０の強度を高める。表側ネット４１及び裏側ネット４２の各々にロープバンド４６が設けられる。ロープバンド４６は、表側ネット４１又は裏側ネット４２に結合された二つの端部４６ａと、二つの端部４６ａの間に配置されて表側ネット４１又は裏側ネット４２に結合されない中間部４６ｂを備える。
【００４５】
図９を参照して、プロペラ羽根を袋で覆うステップＳ４１を説明する。プロペラ羽根を袋で覆うステップＳ４１は、建造ドックで組立てられた船体１０を水に浮かべる前に建造ドックで（空気中で）行われる。
【００４６】
プロペラ羽根を袋で覆うステップＳ４１において、プロペラ２０の複数の羽根２２を複数の袋４０でそれぞれ覆う。より具体的には、羽根２２に袋４０を被せ、袋４０の口（開口部縁４３）と羽根２２の付け根部分との隙間を防水性テープ５０で塞ぐ。ここで、ロープ（不図示）をロープバンド４６に取り付け、そのロープを操作して袋４０を羽根２２に被せると、作業が容易である。また、開口部縁４３に配列された複数のハトメ４４に紐（不図示）を通し、その紐で袋４０の口を絞って開口部縁４３を羽根２２の付け根部分に密着させると、袋４０の口（開口部縁４３）と羽根２２の付け根部分との隙間を防水性テープ５０で塞ぐ作業が容易になる。
【００４７】
プロペラ羽根を袋で覆うステップＳ４１の後に船体１０を水に浮かべ、艤装岸壁において船体１０に対して艤装が行われる。艤装期間中、袋４０により羽根２２の表面にフジツボやムラサキガイのような海生物が付着することが防止される。
【００４８】
艤装期間の最後（試運転の前）に袋を取り外すステップＳ４２と、プロペラボスを研磨するステップＳ４３を実行する。袋を取り外すステップＳ４２において、ダイバーが羽根２２から袋４０を取り外す。ここで、袋４０に海生物が付着していた場合、その海生物は袋４０と一緒に除去される。プロペラボスを研磨するステップＳ４３において、ダイバーがボス２１を研磨してボス２１の表面に付着した海生物を除去する。本実施形態におけるダイバーの作業時間は、従来技術のようにダイバーがプロペラ全体を研磨する場合の作業時間に比べて短い。
【００４９】
本実施形態による舶用プロペラへの海生物付着防止方法によれば、第１の実施形態による舶用プロペラへの海生物付着防止方法と同様の効果が提供される。更に、本実施形態によれば羽根２２ごとに袋４０で覆うため、プロペラ２０全体をネットで覆う場合に比べて作業が容易である。更に、袋４０がネットで形成されているので、浮力を発生させないために袋４０から空気を抜く必要がなく、作業時間が短縮される。
【００５０】
なお、本実施形態において、袋４０の本体部分をビニールシートのような海水を通さないシートで形成してもよい。本実施形態において、プロペラ羽根を袋で覆うステップＳ４１を船体１０が水に浮かべられた状態で行ってもよい。
【符号の説明】
【００５１】
１０…船体
１５…シャフト
２０…プロペラ
２１…ボス
２２…羽根
３１…シート
３２…ネット
３５…ロープ
３８…ガス供給路
４０…海生物付着防止袋
４１…表側ネット
４２…裏側ネット
４３…開口部縁
４４…サイド部縁
４５…底部縁
４６…ロープバンド
４６ａ…端部
４６ｂ…中間部
４７…ハトメ
５０…防水性テープ
【図１】
2011121389.tif 000003
【図２】
2011121389.tif 000004
【図３】
2011121389.tif 000005
【図４】
2011121389.tif 000006
【図５】
2011121389.tif 000007
【図６】
2011121389.tif 000008
【図７】
2011121389.tif 000009
【図８】
2011121389.tif 000010
【図９】
2011121389.tif 000011